Podtech/llm-jp-corpus-v4-ja_patent huggingface dataset:
【事件の表示】
　商願２００３−２８０７３拒絶査定不服審判事件について、次のとおり審決する。
【結　論】
　原査定を取り消す。
　本願商標は、登録すべきものとする。
【理　由】
１　本願商標
　本願商標は、別掲のとおりの構成よりなり、第８類「手動利器（『刀剣』を除く。），手動工具（『すみつぼ類・皮砥・鋼砥・砥石』を除く。）」を指定商品として平成１５年４月８日に登録出願されたものである。
　
２　引用商標
　原査定において、本願の拒絶の理由に引用した登録第２７１５２１８号商標（以下「引用商標」という。）は、「ＳＬＤ」の文字を横書きしてなり、昭和６３年７月４日登録出願、第１３類「手動利器、手動工具、金具（他の類に属するものを除く）」を指定商品として平成８年７月３１日に設定登録され、現に有効に存続しているものである。
　
３　当審の判断
　本願商標と引用商標の類否について検討するに、本願商標と引用商標は、前記のとおりの構成よりなるところ、本願商標は全体として図案化されたモノグラム風の図形よりなるものといえるから、これより特定の称呼または観念を生ずるものとは認められない。
　してみれば、本願商標から「エスエルデイ」の称呼を生ずるとし、その上で、本願商標と引用商標とは「エスエルデイ」の称呼を共通にする類似の商標であるとして、本願商標を商標法第４条１項第１１号に該当するとした原査定は、その前提において失当であり、取消しを免れない。
　その他、政令で定める期間内に本願について拒絶の理由を発見しない。
　よって、結論のとおり審決する。